(57)【要約】【課題】本発明は、高圧モード及び非圧モード間の変更が可能であり、変更されたモードに対応するメニューが調理できるようにする電気炊飯器に関する。【解決手段】本発明に係る電気炊飯器は、内釜が収容される収容空間を有する本体と、前記本体の上部に開閉自在に結合される蓋部と、前記内釜の内部及び前記蓋部の外部間を貫通及び遮断する複数の排出経路を開閉して高圧モード及び非圧モードを選択する圧力変換部と、前記圧力変換部により選択された前記非圧モード又は高圧モードを感知する感知センサーと、前記非圧モード及び高圧モードを少なくとも含む圧力モードにおいて、前記感知センサーからの感知信号に基づいて前記圧力モードを判断する制御部とからなる。【選択図】図１
2019048052.tif 000002
【特許請求の範囲】
【請求項１】
内釜が収容される収容空間を有する本体と、
前記本体の上部に開閉自在に結合される蓋部と、
前記内釜の内部及び前記蓋部の外部間を貫通及び遮断する複数の排出経路を開閉して高圧モード及び非圧モードを選択する圧力変換部と、
前記圧力変換部により選択された前記非圧モード又は高圧モードを感知する第１感知センサーと、
前記非圧モード及び高圧モードを少なくとも含む圧力モードにおいて、前記第１感知センサーからの第１感知信号に基づいて前記圧力モードを判断する制御部とからなることを特徴とする、電気炊飯器。
【請求項２】
電気炊飯器は表示部を備え、前記制御部は前記判断された圧力モードを視覚的又は聴覚的に表示することを特徴とする、請求項１に記載の電気炊飯器。
【請求項３】
電気炊飯器は、既に格納されているメニューを表示する表示部と、前記表示部に表示されたメニューのうちで、メニュー選択のためのメニュー選択入力を獲得する入力部とを備え、前記制御部は既に格納されているメニューのうち少なくとも一部分に対する調理圧力情報を格納することを特徴とする、請求項１に記載の電気炊飯器。
【請求項４】
前記調理圧力情報は、高圧メニュー及び非圧メニューを含むことを特徴とする、請求項３に記載の電気炊飯器。
【請求項５】
前記制御部は、前記入力部により選択されたメニューが前記判断された圧力モードに対応するか否かを判断することを特徴とする、請求項４に記載の電気炊飯器。
【請求項６】
前記選択されたメニューが前記判断された圧力モードに対応する場合、前記制御部は、前記選択されたメニューを前記判断された圧力モードに従う調理アルゴリズムにより調理を遂行し、
前記選択されたメニューが前記判断された圧力モードに対応しない場合、前記制御部は、前記選択されたメニューが前記判断された圧力モードに対応しないことを示すエラー表示を前記表示部により視覚的又は聴覚的に遂行することを特徴とする、請求項５に記載の電気炊飯器。
【請求項７】
前記制御部は、前記エラー表示と共に前記選択されたメニューに対する選択を削除して初期化し、メニューを再選択するようにすることを特徴とする、請求項６に記載の電気炊飯器。
【請求項８】
前記選択されたメニューが前記判断された圧力モードに対応しない場合、前記制御部は、圧力モードを変更することを前記表示部により視覚的又は聴覚的に案内し、前記案内の以後に基準時間の間に前記判断された圧力モードが前記入力部からの選択されたメニューに対応するか否かを判断することを特徴とする、請求項６に記載の電気炊飯器。
【請求項９】
前記制御部は、前記基準時間以内に前記判断された圧力モードが前記入力部からの選択されたメニューに対応しない場合、前記選択されたメニューに対する選択を削除して初期化し、メニューを再選択するようにし、
前記選択されたメニューが前記判断された圧力モードに対応する場合、前記選択されたメニューを前記判断された圧力モードに従う調理アルゴリズムにより調理を遂行することを特徴とする、請求項８に記載の電気炊飯器。
【請求項１０】
前記制御部が前記調理アルゴリズムによる調理の遂行中に、前記第１感知センサーからの第１感知信号によって前記圧力モードの変更を判断することを特徴とする、請求項６または９に記載の電気炊飯器。
【請求項１１】
前記圧力モードの変更が判断された場合、前記制御部は、前記調理を取り消し、前記圧力モードの変更を示すエラー表示を前記表示部により視覚的又は聴覚的に遂行し、前記調理の取り消しの以後にメニューを再選択するようにすることを特徴とする、請求項１０に記載の電気炊飯器。
【請求項１２】
前記電気炊飯器は、前記第１感知センサーが感知する圧力モードと異なる圧力モードを感知する第２感知センサーと、高圧メニュー及び非圧メニューを含む既に格納されているメニューと、少なくとも前記非圧モード及び高圧モードを含む圧力モードを表示する表示部とを備え、
前記制御部は、前記第１及び第２感知センサーからの第１及び第２感知信号によって現在の圧力モードを判断し、前記表示部に前記現在の圧力モードを視覚的又は聴覚的に表示することを特徴とする、請求項１に記載の電気炊飯器。
【請求項１３】
前記制御部は、前記現在の圧力モードの変更があるか否かを判断し、前記現在の圧力モードの変更がある場合及びそうでない場合に、前記メニュー及び圧力モードを異にして表示することを特徴とする、請求項１２に記載の電気炊飯器。
【請求項１４】
前記現在の圧力モードの変更がない場合、前記制御部は、前記現在の圧力モードに対応し、最近に遂行されたメニュー及び前記現在の圧力モードの表示を前記表示部に点灯させ、
前記現在の圧力モードの変更がある場合、前記制御部は、一定時間の間に前記変更された圧力モードに対応するメニューを点滅させ、点滅されるメニュー以外のメニューを点灯させて、前記圧力モードの変更を視覚的又は聴覚的に表示した後、前記変更された圧力モードに対応し、最近に遂行されたメニュー及び前記変更された圧力モードの表示を点灯させることを特徴とする、請求項１３に記載の電気炊飯器。
【請求項１５】
前記電気炊飯器は、前記表示部に表示されたメニューのうちで、ユーザにより選択確認されたメニューが入力される入力部を備え、前記制御部は、前記既に格納されているメニューを前記表示部に表示し、前記入力部から前記選択確認されたメニューが入力されることを特徴とする、請求項１２に記載の電気炊飯器。
【請求項１６】
前記制御部は、前記入力部から調理開始入力を獲得する前まで前記現在の圧力モードの変更があるか否かを判断することを特徴とする、請求項１５に記載の電気炊飯器。
【請求項１７】
前記現在の圧力モードの変更がある場合、
前記制御部は、一定時間の間に前記変更された圧力モードに対応するメニューを点滅させ、点滅されるメニュー以外のメニューを点灯させ、前記圧力モードの変更を視覚的又は聴覚的に表示した後、前記変更された圧力モードに対応し、最近に遂行されたメニュー及び前記変更された圧力モードの表示を点灯させ、前記入力部から選択確認されたメニューが入力されることを特徴とする、請求項１６に記載の電気炊飯器。
【請求項１８】
前記制御部は、前記入力部から調理開始入力を獲得し、前記現在の圧力モードと前記選択確認されたメニューとが対応するか否かを判断することを特徴とする、請求項１５に記載の電気炊飯器。
【請求項１９】
前記現在の圧力モードと前記選択確認されたメニューとが対応する場合、前記制御部は、前記現在の圧力モードに従う調理アルゴリズムにより調理を遂行し、
前記現在の圧力モードと前記選択確認されたメニューとが対応しない場合、前記制御部は、前記現在の圧力モードと前記選択確認されたメニューとが対応しないことを示す対応エラーを前記表示部に表示し、前記入力部から再選択確認されたメニューが入力されることを特徴とする、請求項１８に記載の電気炊飯器。
【請求項２０】
前記制御部は、前記入力部から高圧調理開始入力又は非圧調理開始入力の一つを獲得し、前記調理開始入力、前記現在の圧力モード及び選択されたメニューが対応するか否かを判断することを特徴とする、請求項１５に記載の電気炊飯器。
【請求項２１】
前記調理開始入力、前記現在の圧力モード及び選択されたメニューが対応する場合、前記制御部は、前記現在の圧力モードに対応する調理アルゴリズムを遂行し、
前記調理開始入力、前記現在の圧力モード及び選択されたメニューの何れか一つでも対応しない場合、前記制御部は、前記調理開始入力のエラー表示を前記表示部に表示することを特徴とする、請求項２０に記載の電気炊飯器。
【請求項２２】
前記電気炊飯器は、前記表示部に表示されたメニューのうちで、ユーザにより選択確認されたメニューが入力される入力部を備え、前記制御部は、現在の圧力モードに対応するメニューのみを点灯させたり、前記既に格納されているメニューを点灯させ、前記入力部から前記現在の圧力モードに対応するメニューのうちで前記選択確認されたメニューが入力されることを特徴とする、請求項１２に記載の電気炊飯器。
【請求項２３】
前記制御部は、前記入力部から調理開始入力を獲得する前まで前記現在の圧力モードの変更があるか否かを判断し、
前記現在の圧力モードの変更がある場合、前記制御部は、一定時間の間に前記変更された圧力モードに対応するメニューを点滅させ、点滅されるメニュー以外のメニューを点灯させて前記圧力モードの変更を視覚的又は聴覚的に表示した後、前記変更された圧力モードに対応して最近に遂行されたメニュー及び前記変更された圧力モードの表示を点灯させ、前記入力部から選択確認されたメニューが入力されることを特徴とする、請求項２２に記載の電気炊飯器。
【請求項２４】
前記制御部は、前記入力部から調理開始入力を獲得し、前記現在の圧力モードに従う調理アルゴリズムにより調理を遂行することを特徴とする、請求項２２に記載の電気炊飯器。
【請求項２５】
前記制御部は、前記入力部から高圧調理開始入力及び非圧調理開始入力の何れか一つを獲得し、前記調理開始入力が前記現在の圧力モードに対応するか否かを判断することを特徴とする、請求項１５に記載の電気炊飯器。
【請求項２６】
前記調理開始入力が前記現在の圧力モードに対応する場合、前記制御部は、前記現在の圧力モードに対応する調理アルゴリズムを遂行し、
前記調理開始入力が前記現在の圧力モードに対応しない場合、前記制御部は、前記調理開始入力のエラー表示を前記表示部に表示することを特徴とする、請求項２５に記載の電気炊飯器。
【請求項２７】
前記制御部は、前記調理アルゴリズムを遂行しながら、前記現在の圧力モードの変更があるか否かを判断することを特徴とする、請求項１９、２１、２４及び２６のいずれかに記載の電気炊飯器。
【請求項２８】
前記現在の圧力モードの変更がある場合、前記制御部は、前記調理アルゴリズムを取り消し、
前記現在の圧力モードの変更がない場合、前記制御部は、前記調理アルゴリズムを遂行することを特徴とする、請求項２７に記載の電気炊飯器。
【請求項２９】
前記現在の圧力モードは、前記第１及び第２感知信号を受信しないエラーモードを含むことを特徴とする、請求項１２に記載の電気炊飯器。
【請求項３０】
前記制御部は、前記現在の圧力モードが前記エラーモードの場合、前記圧力変換部を前記高圧モード又は前記非圧モードで操作することを前記表示部により表示されることを特徴とする、請求項２９に記載の電気炊飯器。
【請求項３１】
前記電気炊飯器は、入力を獲得する入力部とを備え、
前記制御部は、前記現在の圧力モードが前記エラーモードの場合、前記入力部による入力を無視又は廃棄することを特徴とする、請求項２９に記載の電気炊飯器。
【請求項３２】
前記制御部は、前記現在の圧力モードが前記高圧モード又は非圧モードとして判断された場合、前記入力の無視又は廃棄を終了することを特徴とする、請求項３１に記載の電気炊飯器。
【請求項３３】
前記現在の圧力モードは、前記第１及び第２感知信号を全部受信する故障モードを含むことを特徴とする、請求項１２に記載の電気炊飯器。
【請求項３４】
前記電気炊飯器は、入力を獲得する入力部とを備え、
前記制御部は、前記現在の圧力モードが前記故障モードの場合、前記電気炊飯器の故障を前記表示部に表示し、前記入力部からの入力を無視又は廃棄することを特徴とする、請求項３３に記載の電気炊飯器。
【発明の詳細な説明】
【技術分野】
【０００１】
本発明は電気炊飯器に関し、より詳しくは、 高圧モード及び非圧モード間の変更が可能であり、変更されたモードに対応するメニューが調理できるようにする電気炊飯器に関する。
【背景技術】
【０００２】
電気炊飯器は、 内釜に調理したい食料を入れた状態において、内釜内を加熱して食べ物を調理する装置である。一般に、電気炊飯器の基本構造は、本体と、本体内に収容されて調理材料を入れる内釜と、本体の上部を覆う蓋部とからなる。本体は内釜が加熱できるように加熱手段を備え、蓋部は本体上に開閉自在に備えられる。また、蓋部には蒸気排出流路を開閉して内釜内の蒸気を調節する蒸気排出部(例えば、ソレノイドバルブ装置)と、内釜内の圧力を一定に維持するための圧力錘バルブとが備えられる。
【０００３】
しかしながら、従来の電気炊飯器では、圧力錘の重量圧及び蒸気圧の相互作用により内釜内の圧力が所定値に維持されるので、ユーザの好みや調理の種類に合わせた調理方式の適用/選択が不可能になって、調理の品質が低下するという問題点がある。例えば、圧力が不要な材料を調理(例えば、野菜の煮など)する場合、高圧により食感が脆くなるなどの問題点があり、もちもちしっとりとした食感の圧力釜のご飯より柔らかい食感の非圧力釜のご飯の方が好きな場合、非圧力電気釜を別途に購入したり鍋炊きをしたりするなどの問題点がある。
【発明の概要】
【発明が解決しようとする課題】
【０００４】
前記問題点を解決するために、本発明の目的は、高圧モード(又は調理)及び非圧モード間の変更が可能であり、選択されたモード及び選択されたモードに対応するメニューをユーザに認知させることで、選択されたモードに対応するメニューが調理できるようにする電気炊飯器を提供することにある。
【０００５】
また、本発明の目的は、磁気センサーからの感知信号に基づいて高圧モード及び非圧モードを判断し、ユーザに判断されたモードに対応する表示及び案内が行われる電気炊飯器を提供することにある。
【０００６】
また、本発明の目的は、複数の磁気センサーからの感知信号に基づいて高圧モード、非圧モード、エラーモード及び故障モードなどのような多様なモードを判断し、ユーザに判断されたモードに対応する表示及び案内が行われる電気炊飯器を提供することにある。
【課題を解決するための手段】
【０００７】
本発明に係る電気炊飯器は、内釜が収容される収容空間を有する本体と、前記本体の上部に開閉自在に結合される蓋部と、前記内釜の内部及び前記蓋部の外部間を貫通及び遮断する複数の排出経路を開閉して高圧モード及び非圧モードを選択する圧力変換部と、前記圧力変換部により、選択された前記非圧モード又は高圧モードを感知する感知センサーと、前記非圧モード及び高圧モードを少なくとも含む圧力モードにおいて、前記感知センサーからの感知信号に基づいて前記圧力モードを判断する制御部とからなる。
【０００８】
また、前記電気炊飯器は表示部を備え、前記制御部は前記判断された圧力モードを視覚的又は聴覚的に表示することが好ましい。
【０００９】
また、前記電気炊飯器は、既に格納されているメニューを表示する表示部と、前記表示部に表示されたメニューからメニュー選択のためのメニュー選択入力を獲得する入力部とを備える。前記制御部は、既に格納されているメニューのうち少なくとも一部分に対する調理圧力情報を格納することが好ましい。
【００１０】
また、前記制御部は、前記入力部から選択されたメニューが前記判断された圧力モードに対応するか否かを判断することが好ましい。
【００１１】
また、前記制御部が前記調理アルゴリズムによって調理を行う間に、前記感知センサーからの感知信号に基づいて前記圧力モードの変更を判断することが好ましい。
【００１２】
また、前記圧力モードの変更が判断された場合、前記制御部は前記調理を取り消すことが好ましい。
【００１３】
また、本発明に係る高圧モード及び非圧モードを含む圧力モードにより調理を行う電気炊飯器の制御方法は、前記電気炊飯器の圧力モードを感知するステップと、前記感知された圧力モードを表示するステップとを含む。
【発明の効果】
【００１４】
本発明は、高圧モード(又は調理)及び非圧モード間の変更が可能であり、選択されたモード及び選択されたモードに対応するメニューをユーザに認知させることで、選択されたモードに対応するメニューの調理が行われるようにして、圧力が不要な料理のための非圧モードと、圧力炊事などの高圧が要求される料理のための高圧モードとが容易に変更できるので、一つの装置で多様な調理法を自由に用いられる。また、高圧のご飯の特有のもちもちしっとりとした食感や非圧のご飯の特有の軟らかい食感等、ユーザの好みに合わせた調理が可能であるので、製品の互換性及び調理の品質を改善させることができる。
【００１５】
また、本発明は、磁気センサーからの感知信号に基づいて高圧モード及び非圧モードを判断し、ユーザに判断されたモードに対応する表示及び案内を行うことで、ユーザーが所望する調理法(高圧/非圧)による調理を提供し、圧力モードやメニュー選択のエラーによる調理品質の低下を防止することができる。
【００１６】
また、本発明は、複数の磁気センサーからの感知信号に基づいて高圧モード、非圧モード、エラーモード及び故障モードなどのような多様なモードを判断し、ユーザに判断されたモードに対応する表示及び案内を行うことで、ユーザーが所望する調理法(高圧/非圧)による調理を提供し、圧力モードやメニュー選択のエラーによる調理品質の低下を防止することができる。
【図面の簡単な説明】
【００１７】
【図１】本発明による電気炊飯器の構成図である。
【図２】本発明による電気炊飯器の蓋部を示す分解斜視図である。
【図３Ａ】本発明による電気炊飯器において圧力転換手段の開放及び閉鎖の状態を示す斜視図である。
【図３Ｂ】本発明による電気炊飯器において圧力転換手段の開放及び閉鎖の状態を示す斜視図である。
【図４Ａ】本発明による電気炊飯器において圧力転換手段の開放及び閉鎖の状態を示す断面図である。
【図４Ｂ】本発明による電気炊飯器において圧力転換手段の開放及び閉鎖の状態を示す断面図である。
【図５】図１の電気炊飯器の制御方法を示すフローチャートである。
【図６】図５の調理過程において圧力モードの変更がある場合の制御を示すフローチャートである。
【図７】本発明による電気炊飯器の蓋部の平面図である。
【図８】図１の電気炊飯器の他の制御方法を示すフローチャートである。
【図９Ａ】表示部１１４によりユーザに表示される実施例である。
【図９Ｂ】表示部１１４によりユーザに表示される実施例である。
【図１０】図８のメニュー選択過程において圧力モードの変更がある場合の制御を示すフローチャートである。
【図１１】入力部１１２の例を示す図である。
【図１２Ａ】図８の調理開始入力過程の他の実施例である。
【図１２Ｂ】図８の調理開始入力過程の他の実施例である。
【図１３】図８の調理過程において圧力モードの変更がある場合の制御を示すフローチャートである。
【発明を実施するための形態】
【００１８】
以下、添付の図面に基づき、本発明の好適な実施例を詳細に説明する。
【００１９】
図１は、本発明による電気炊飯器の構成図である。
【００２０】
本発明の電気炊飯器１００は、常用電源により必要な電源が供給される電源部１１０と、ユーザによりメニュー選択、人分又は容量(調理物の量）、調理開始入力などが入力される入力部１１２と、調理可能なメニューや現在進行中である工程などを表示する表示部１１４と、外力により高圧モード及び非圧モード間の変更を行って高圧モード又は非圧モードを選択する圧力変換部(図２〜図４Ｂに記載する)と、高圧モードを感知して第１感知信号を印加する第１磁気センサー１８ａと、非圧モードを感知して第２感知信号を印加する第２磁気センサー１８ｂと、制御部１２０からの制御信号によって動作する蒸気排出部９０ｂと、本体や蓋部に設けられて内釜の上側、側面及び下側などで熱を加える加熱部１９ｃと、内釜の上部、側面又は底面の温度を感知する温度感知部１１６と、前記構成要素を制御して圧力変換部による現在の圧力モードに対応する調理を、即ち、高圧モードに対応する高圧メニューの調理及び非圧モードに対応する非圧メニューの調理を行う制御部１２０とからなる。本実施例において、電源部１１０、蒸気排出部９０ｂ、加熱部１９ｃ及び温度感知部１１６は、本発明の属する技術の分野における通常の知識を有した者に当然に認識される程度の技術に該当するので、その説明は省略する。
【００２１】
詳しくは、入力部１１２は、ユーザからメニュー選択入力、人分又は容量(調理物の量）、調理開始入力を獲得して制御部１２０に印加する。また、入力部１１２は、高圧モード調理開始又は非圧モード調理開始のように、圧力モードの各々に対応する少なくとも一つ以上の下部入力部をさらに備える。
【００２２】
表示部１１４は、調理可能なメニューや現在進行中である工程を表示する以外にも、圧力変換部による現在の圧力モード(高圧モード及び非圧モード)をユーザに視覚的又は聴覚的に表示する。また、表示部１１４は、現在の圧力モードを独立的に表示する下部表示部をハンドル(図２の１１)やその近所の蓋部の上面に備える。また、表示部１１４は、高圧モード及び非圧モードの各々に対応するメニューを各々表示し、ユーザが高圧モード及び非圧モードに対応するメニューを入力部１１２により選択できるようにする。
【００２３】
圧力変換部は、制御部１２０に対して独立的に動作し、ユーザの外力により一定角度の範囲内で回転するハンドル(図２の１１)の動作により、少なくとも高圧モード及び非圧モード間の変更(又は高圧モード及び非圧モードのうちの選択)を行う装置に該当し、圧力変換部の構成及び動作は以下の図２〜図４Ｂで詳細に記載する。
【００２４】
また、第１磁気センサー１８ａ及び第２磁気センサー１８ｂは、リードスイッチやＭＲセンサー(magnetoresistive sensor)などで具現でき、その詳細は後術する。また、第１磁気センサー１８ａ及び第２磁気センサー１８ｂの何れか一つが備えられる。
【００２５】
また、制御部１２０は、データプロセッサー(例えば、ＣＰＵなど)で具現され、現在の圧力モード及び圧力変換部により変更された現在の圧力モードを第１及び第２磁気センサー１８ａ、１８ｂの少なくとも一つからの第１又は第２感知信号の少なくとも一つ以上に基づいて判断したり判断して格納する。また、制御部１２０は、既に格納されているメニューのうち少なくとも一部分に対する調理圧力情報を格納する。この調理圧力情報は、高圧モードで調理されなければならないメニュー(高圧メニュー)と、非圧モードで調理されなければならないメニュー(非圧メニュー)とを含む。以下では、制御部１２０の細部的な制御方法について記載する。
【００２６】
図２は、本発明による電気炊飯器の蓋部を示す分解斜視図であり、図３Ａ及び図３Ｂは本発明による電気炊飯器において圧力転換手段の開放及び閉鎖の状態を示す斜視図であり、図４Ａ及び図４Ｂは本発明による電気炊飯器において圧力転換手段の開放及び閉鎖の状態を示す断面図である。
【００２７】
本発明による電気炊飯器１００は、内部に収容空間を有する本体(図示せず)と、本体の収容空間に収容される内釜と、本体の上部に開閉自在に結合される蓋部１０と、圧力対応作動手段９０と、圧力転換手段５０とを含む。図２〜図３Ａを参照すれば、蓋部１０は、本体(図示せず)の上部に開閉自在に結合される内部蓋部１０ｂと、該内部蓋部１０ｂをカバーし、上面の一側にハンドル１１が備えられた外部蓋部１０ａとからなる。以下において、一側は蓋部１０の開放端部１７を向く方向、他側は蓋部１０のヒンジ連結部１６を向く方向として理解することが好ましい。ハンドル１１は、内釜のロックのための内釜ロック手段に連動するように備えられる。ここで、内釜ロック手段は、内部蓋部１０ｂの下面に回転自在に結合されて回転角度によってフランジ部に選択的にロックされるロッキングリング２０などで形成されるが、これに限定されるものではない。例えば、ロッキングリング２０の内周には各々のフランジ部に対応して半径方向の内側に複数のロック突起２１が突設される。
【００２８】
ここで、ハンドル１１の下端にはハンドルベース３０が連結され、ハンドルベース３０は支持部３０ｃ、支持部３０ｃの一端及び他端に突設されたロッキングリング連動部３０ａ及びレバー連動部３０ｂを含む。このとき、支持部３０ｃは上面にハンドル１１の下端がキー結合され、下面に形成された回転支持溝部３４に内部蓋部１０ｂの支持突起１４が挿入されて回転支持される。また、ロッキングリング連動部３０ａは、ロッキングリング２０の回転軌跡と重畳するように延び、ロッキングリング２０と重畳配置された一側に連結孔３１が形成される。このとき、連結孔３１にはロッキングリング２０の上面に突設された連結突起２３が内部蓋部１０ｂの円弧形長孔１５を貫通して嵌合される。
【００２９】
なお、内部蓋部１０ｂの下面にはリードプレート８０が結合され、内釜(図示せず)の上端開口を密閉する密閉パッキング８２がリードプレート８０の下面に設けられる。リードプレート８０の下面には内釜カバー(図示せず)がさらに設けられ、このような場合、内釜(図示せず)の上端開口を密閉する密閉パッキング８２が内釜カバー(図示せず)の縁部に設けられる。このとき、内釜カバー(図示せず)の他側には内釜内の蒸気を排出するための複数の蒸気流動孔が形成され、リードプレート８０には蒸気流動孔に対面する部分に復数の連通孔８１ａ、８１ｂ、８１ｃが形成される。
【００３０】
また、リードプレート８０及び内部蓋部１０ｂ間には、各々の連通孔８１ａ、８１ｂ、８１ｃを一体にカバーし、各々の連通孔８１ａ、８１ｂ、８１ｃに対応する装着孔７１ａ、７１ｂ、７１ｃが形成された制御板７０が設けられる。一方、外部蓋部１０ａの他側には、各々の装着孔７１ａ、７１ｂ、７１ｃに対応するように複数の上部貫通部１３ａ、１３ｂ、１３ｃが形成され、内部蓋部１０ｂには各々の上部貫通部１３ａ、１３ｂ、１３ｃの形成領域を包括するサイズの下部貫通部１３ｄが形成される。このとき、圧力転換手段５０は、上部貫通部１３ａ、１３ｂ、１３ｃの何れか一つ１３ａと、下部貫通部１３ｄとを介して蓋部１０を貫通するように配置され、内釜内の蒸気を排出するための選択的な開閉状態が維持されるように備えられる。
【００３１】
圧力対応作動手段９０は、圧力転換手段５０が配置されていない上部貫通部１３ｂ、１３ｃ及び下部貫通部１３ｄを介して蓋部１０を貫通するように配置され、制御部１２０の制御信号によって開閉される蒸気排出部(例えば、ソレノイドバルブ)９０ｂと、内釜内の蒸気圧力によって乗降する重量錘を備える圧力錘バルブ９０ａとからなる。
【００３２】
外部蓋部１０ａの上面には、上部貫通部１３ａ、１３ｂ、１３ｃの縁部に沿って装着溝１２が陥没形成され、圧力対応作動手段９０及び圧力転換手段５０の蒸気排出を案内するスチームキャップ６０が着脱される。ここで、スチームキャップ６０の他側には圧力錘貫通孔６３が形成されて圧力錘バルブ９０ａの外周を囲み、内部に形成された案内空間６１には圧力転換手段５０及び蒸気排出部９０ｂの上端が配置される。このとき、圧力転換手段５０及び蒸気排出部９０ｂの蒸気は、案内空間６１に突設された流速制御リブ(図示せず)に衝突して減速された後に案内空間６１の他端の蒸気案内孔６２を介して外部に排出される。
【００３３】
また、本体(図示せず)には、蓋部１０の開放端部１７に突設された係止突起１７ａをロックする補助ロック手段が備えられる。これにより、ロッキングリング２０がロック解除されて圧力転換手段５０が開放された非圧モードにおいても、蓋部１０の閉じ状態を安定的に維持できる。
【００３４】
なお、圧力転換手段５０は、下部シリンダー５３、昇降ピストン５２、上部シリンダー５１及び加圧手段からなることが好ましい。ここで、下部シリンダー５３は、中空円筒型に形成されて内部に圧力転換流路５３ａを有し、下部貫通部１３ｄを貫通するように配置される。下部シリンダー５３の下端にはＤカット結合部５３ｃが形成され、下部シリンダー５３と対向する連通孔８１ａはＤカット結合部５３ｃに対応するようにＤカット端面に加工されたＤカット孔を有することが好ましい。このとき、Ｄカット結合部５３ｃは外周に密閉Ｏリング５９が取付けられた状態でＤカット孔に挿入され、Ｄカット孔に挿入されたＤカット結合部５３ｃの内周にはネジ山が形成されてシリンダーキャップ５８の外周側のネジ山が締結される。そして、シリンダーキャップ５８には内釜内の蒸気が流動するように複数の蒸気排出孔５８ｂが形成され、外周に沿ってＤカット孔の下縁端に係止する締結段差部５８ａが形成される。このとき、シリンダーキャップ５８がＤカット結合部５３ｃに結合されると、締結段差部５８ａ及び下部シリンダー５３の下端間にＤカット孔の縁部が係止して下部シリンダー５３が固定され、密閉Ｏリング５９により下部シリンダー５３の下端とＤカット孔の縁部との間が密閉される。
【００３５】
また、昇降ピストン５２は下部シリンダー５３上に昇降可能に結合され、昇降ピストン５２の昇降によって圧力転換流路５３ａが開閉される。ここで、昇降ピストン５２は、圧力転換流路５３ａより大きく形成され、下部シリンダー５３の上端に安着する安着板５２ａ、安着板５２ａの外側から上下方向に延長する上部スライド管５２ｃ及び下部スライド管５２ｂを含む。このとき、 安着板５２ａの下面には圧力転換流路５３ａを遮蔽する遮蔽突起５２ｆが突設され、遮蔽突起５２ｆの外郭に沿って複数に分割された円弧形の転換排出孔５２ｅが形成される。
【００３６】
また、上部シリンダー５１は、中空円筒形に形成され、上部貫通部１３ａを貫通するように配置される。このとき、上部シリンダー５１及び上部貫通部１３ａ間は管型密閉部材５７によって密閉され、上部シリンダー５１の上端の外周にはリング型密閉溝部５１ｃが陥没形成されて管型密閉部材５７の内周側シーリング突起５７ａが係止されて支持される。また、上部シリンダー５１の下端には複数に分割された円弧形のコラム締結部５１ｂが形成され、コラム締結部５１ｂの内周にはネジ山が形成される。このとき、コラム締結部５１ｂが転換排出孔５２ｅを貫通して下部シリンダー５３の上端外周５３ｄ側のネジ山に締結されることにより、上部シリンダー５１が下部シリンダー５３に固定される。また、上部シリンダー５１の内周には半径方向の内側に飛散防止板５１ｆが突出形成されることが好ましい。
【００３７】
なお、下部スライド管５２ｂは下部シリンダー５３の上側の外径より大きい内径を有し、上部スライド管５２ｃは上部シリンダー５１の下側の外径より大きい内径を有する。従って、昇降ピストン５２が下部シリンダー５３の外周及び上部シリンダー５１の外周を囲むように取付けられることができる。
【００３８】
また、上部シリンダー５１の下部外周及び下部シリンダー５３の上部外周にはリング型密閉溝部５１ｄ、５３ｂが陥没形成されて密閉部材５５、５６が取り付けられる。このとき、密閉部材５５、５６の外周には複数の密閉リブ５５ａ、５６ａが突設されることが好ましい。
【００３９】
なお、下部スライド管５２ｂの外周には半径方向の外側に昇降翼部５２ｄが突設されることが好ましい。このとき、昇降翼部５２ｄが加圧手段により下方に押圧されて圧力転換流路５３ａの閉鎖状態が維持される。ここで、加圧手段は、圧力転換流路５３ａが所定の理想圧力以上では強制に開放されるように、理想圧力に対応する弾性係数を有するバネなどの弾性部材５４からなる。詳しくは、上部シリンダー５１の外周にはバネ支持突起５１ａが突設され、バネ支持突起５１ａの下端には弾性部材５４の直径より大きいワッシャー部材５１ｅが取り付けられる。また、昇降翼部５２ｄ及びワッシャー部材５１ｅ間に弾性部材５４が介在されることにより、遮蔽突起５２ｆ及び圧力転換流路５３ａの密着状態が維持できる。
【００４０】
一方、圧力転換手段５０及びハンドルベース３０間には、レバー連動部３０ｂの回転に対応して一側及び他側に直線移動するリフトレバー４０が設けられる。詳しくは、リフトレバー４０は、レバー連動部３０ｂの回転軌跡をカバーする面積の板型で設けられた連結胴部４０ｃ、連結胴部４０ｃの他端から圧力転換手段５０の外周の両側に接するように延長した第１レバー胴部４０ａ及び第２レバー胴部４０ｂからなる。このとき、第１レバー胴部４０ａ及び第２レバー胴部４０ｂは、直線移動時に昇降翼部５２ｄとの下面重畳状態を維持するようにリフトレバー４０の直線移動間隔以上に延びて形成されることが好ましい。また、第１レバー胴部４０ａには連結胴部４０ｃに隣接する一端にガイド長孔４４ａが形成される。このとき、ネジ部材１８ｃがガイド長孔４４ａを通して内部蓋部１０ｂに締結されると、ネジ部材１８ｃのヘッド部に備えられたワッシャー部材がガイド長孔４４ａの上縁端を支持する。これにより、ガイド長孔４４ａの内面がネジ部材１８ｃの外周に沿って案内されてリフトレバー４０が一側及び他側に直線移動することができる。
【００４１】
また、連結胴部４０ｃには、レバー連動部３０ｂの下端に突設された連動突起３２が挿入されるように貫通し、連動突起３２の回転軌跡の一端から接線方向に拡張形成されたクランク孔４１が形成される。このとき、連動突起３２の回転軌跡は、ロッキングリング２０のロック回転時の連動突起３２の位置からロック解除回転時の連動突起３２の位置を連結した曲線を意味し、回転軌跡の一端はロッキングリング２０のロック回転時の連動突起３２の位置を意味する。これにより、ハンドルベース３０が回転すると、連動突起３２が 円弧を書きながらクランク孔４１の内部に沿って横方向に移動し、クランク孔４１の一側の縁部を引いてリフトレバー４０が一側に直線移動する。また、ハンドルベース３０が逆回転すると、連結突起３２が反対方向に円弧移動し、クランク孔４１の他側の縁部を押してリフトレバー４０が他側に直線移動できる。
【００４２】
また、第１レバー胴部４０ａ及び第２レバー胴部４０ｂの上面には、リフトレバー４０の直線移動時に圧力転換手段５０の外周に接する縁部に沿ってリフト突起４３が突設される。このとき、リフト突起４３はリフトレバー４０の直線移動時に乗降翼部５２ｄに対面する部分に沿って形成され、ハンドル１１のロック回転時に直線移動方向に行くほど上方に傾斜して突出されることが好ましい。
【００４３】
図３Ａ及び図４Ａに示すように、リフトレバー４０が他側に移動した状態でハンドル１１がロック解除回転されると、リフトレバー４０が一側に引かれつつ乗降翼部５２ｄがリフト突起４３の傾斜面に沿ってスライドして上昇する。また、上昇した乗降翼部５２ｄがリフト突起４３の最高端４３ｂにより支持されると、圧力転換流路５３ａが完全に開放され、開放された状態が維持される。このとき、内釜内の蒸気は、蒸気流動孔、蒸気排出孔５８ｂ、連通孔８１ａ、圧力転換流路５３ａ、転換排出孔５２ｅ、上部シリンダー５１の中空及びスチームキャップ６０を経て外部に排出される。これにより、内釜内の蒸気が持続的に排出され、内釜内の圧力が増加しない非圧モードで調理が行われる。
【００４４】
また、図３Ｂ及び図４Ｂに示すように、リフトレバー４０が一側に移動した状態で、ハンドル１１がロック回転すると、リフトレバー４０が他側に押し出され、乗降翼部５２ｄがリフト突起４３の傾斜面に沿ってスライドして下降する。そして、乗降翼部５２ｄとリフト突起４３の最低端４３ａが対向配置されると、乗降翼部５２ｄに対する上方の加圧が解除されて昇降ピストン５２が下降し、圧力転換流路５３ａが完全に閉鎖される。このとき、加圧手段５４により昇降ピストン５２の下降状態が維持されるので、内釜内の蒸気は蒸気流動孔を通して圧力対応作動手段９０に流動して内釜内の圧力の高低によって選択的に排出され、内釜内の圧力が一定に維持される。即ち、圧力転換手段５０が閉鎖された状態で内釜内の圧力が増加して高圧モードで調理が行われ、内釜内の圧力が一定水準以上に高くなったり、制御部１２０の制御により圧力対応作動手段９０が開放されて内釜内の蒸気が蒸気流動孔、圧力対応作動手段９０、スチームキャップ６０を経て外部に排出される。
【００４５】
なお、ロッキングリング２０には、ロック回転方向及びロック解除回転方向に互いに離隔配置されて回転方向を表示する一対の標識者２２ａ、２２ｂが設けられる。このとき、標識者２２ａ、２２ｂは永久磁石などからなり、内部蓋部１０ｂの上面には各々の標識者２２ａ、２２ｂの回転軌跡上に設けられ、各々の標識者２２ａ、２２ｂの磁力を感知するように少なくとも一つ以上の第１及び第２磁気センサー１８ａ、１８ｂが設けられる。第１磁気センサー１８ａはロッキングリング２０のロック時のロック回転方向側の第１標識者２２ａの位置に対応して配置され、第２磁気センサー１８ｂはロッキングリング２０のロック解除時のロック解除回転方向側の第２標識者２２ｂの位置に対応して配置される。ロッキングリング２０がロックされると、第１磁気センサー１８ａが第１標識者２２ａの磁力を感知して第１感知信号を制御部１２０に印加し、ロッキングリング２０がロック解除されると、第２磁気センサー１８ｂが第２標識者２２ｂの磁力を感知して第２感知信号を制御部１２０に印加する。
【００４６】
前述したように、電気炊飯器は、蒸気流動孔、蒸気排出孔５８ｂ、連通孔８１ａ、圧力転換流路５３ａ、転換排出孔５２ｅ、上部シリンダー５１の中空及びスチームキャップ６０からなり、内釜の内部(又は収容空間)及び本体(又は蓋部)の外部間を貫通する第１排出経路と、蒸気流動孔及び圧力対応作動手段９０からなり、圧力対応作動手段９０の動作(又は開閉動作)により内釜の内部(又は収容空間)及び本体の外部間が貫通及び遮断される第２排出経路とからなり、第１排出経路及び第２排出経路を選択的に開閉して内釜内の蒸気が第１排出経路又は第２排出経路に選択的に排出させることが圧力変換部の作用である。この圧力変換部は、蓋部１０に備えられるハンドル１１、ロッキングリング２０、ハンドルベース３０、リフトレバー４０及び圧力転換手段５０からなり、これら間の連鎖的な動作により圧力転換流路５３ａの開閉が行われ、圧力転換流路５３ａの開放(完全開放)時が非圧モード(第１排出経路の選択)であり、圧力転換流路５３ａの閉鎖(完全閉鎖)時が高圧モード(第２排出経路の選択)である。
【００４７】
この圧力変換部は、第１排出経路及び第２排出経路が独立的に分離された場合である。但し、圧力変換部は、非圧モードのための第１排出経路と、高圧モードのための第２排出経路とが一定空間を共有しながら直列に多段配置されることができる。このような直列多段配置の場合には、各々の第１及び第２排出経路の開放及び閉鎖動作により、非圧モード及び高圧モードの選択が可能である。例えば、非圧モードのための第１排出経路の開放時には非圧モードとして動作し、非圧モードのための第１排出経路の閉鎖時には高圧モードのための第２排出経路による高圧モードとして動作する。その反対に、高圧モードのための第２排出経路の閉鎖時には非圧モードとして動作し、高圧モードのための第２排出経路の開放時には高圧モードとして動作する。従って、圧力変換部は独立又は直列多段に配置され、内釜の内部(又は収容空間)及び本体の外部間を貫通及び遮断する複数の排出経路を開閉して高圧モード及び非圧モードを選択するようにする装置を含む。
【００４８】
図５は、図１の電気炊飯器の制御方法を示すフローチャートである。本実施例では、第１磁気センサー１８ａのみを備えた場合であり、電源部１１０により電源が各構成要素に供給されながら開始し、制御部１２０は、第１磁気センサー１８ａからの第１感知信号により、圧力変換部による圧力モードを判断し、表示部１１４(又は下部表示部)に表示する。例えば、制御部１２０が、第１磁気センサー１８ａから第１感知信号を受信すると高圧モードを表示部１１４に表示し、第１磁気センサー１８ａから第１感知信号を受信しないと非圧モードを表示部１１４に表示する。
【００４９】
ステップＳ１において、制御部１２０は、入力部１１２からメニュー選択入力が獲得されたか否かを判断する。このとき、メニュー選択入力が獲得された場合にはステップＳ３に進行し、そうでない場合にはステップＳ５に進行する。
【００５０】
ステップＳ３において、制御部１２０は、既に格納されているメニューを表示部１１４に表示し、ユーザが入力部１１２により所望のメニューを選択するようにする。ユーザのメニュー選択が完了された場合にはステップＳ７に進行する。
【００５１】
ステップＳ５において、制御部１２０は、ユーザのメニュー選択入力がないので、既に格納されているメニュー(以前に調理されて制御部１２０に格納されているメニュー)又は以前に選択されたメニューを今回の調理過程での選択されたメニューとして決定する。
【００５２】
ステップＳ７において、制御部１２０は、ステップＳ３又はＳ５で選択されたメニューに対する調理開始入力が入力部１１２から獲得されたか否かを判断する。このとき、調理開始入力が獲得された場合にはステップＳ９に進行し、そうでない場合にはステップＳ１に進行してメニューを再選択するようにする。
【００５３】
ステップＳ９において、制御部１２０は、ステップＳ３又はステップＳ５で選択されたメニューが高圧メニューであるか否かを判断する。高圧メニューは高圧モードで調理されなければならないメニューであり、非圧メニューは非圧モードで調理されなければならないメニューである。例えば、高圧メニューは白米、雑穀、おこげ、玄米/発芽、サムゲタン、高圧煮等であり、非圧メニューは非圧白米、離乳食、非圧煮、健康粥等である。このとき、ステップＳ３又はＳ５で選択されたメニューが、高圧メニューの場合にはステップＳ１１に進行し、非圧メニューの場合にはステップＳ１７に進行する。
【００５４】
ステップＳ１１において、制御部１２０は、圧力変換部による現在の圧力モードが高圧モードであるか否かを判断する。このとき、現在の圧力モードが、高圧モードの場合にはステップＳ１３に進行し、そうでない場合にはステップＳ１５に進行する。
【００５５】
ステップＳ１３において、制御部１２０は、選択されたメニューが高圧メニューであり、現在の圧力モードが高圧モードであるので、選択されたメニューに対応する高圧調理アルゴリズムにより、温度感知部１１６からの感知温度に基づいて加熱部１９ｃ及び蒸気排出部９０ｂを制御して高圧調理を遂行する。このような高圧調理の遂行により、制御部１２０はユーザに高圧調理の特有のもちもちしっとりとした食感等を持つ調理物を提供する。
【００５６】
ステップＳ１５において、制御部１２０は、選択されたメニューが高圧メニューであり、現在の圧力モードが非圧モードであるので、表示部１１４により選択された高圧メニューが現在の非圧モードで調理できない(即ち、選択されたメニューと現在の圧力モードとが対応しない)ことを示すエラー表示を視覚的又は聴覚的に行い、ステップＳ１に進行して以前に選択されたメニューに対する選択を削除して初期化し、メニューを再選択するようにする。このようなエラー表示及びメニュー選択の再遂行により、制御部１２０は、ユーザーが所望するメニューに対応する圧力モードで正確に遂行されるようにする。但し、ステップＳ１５において、制御部１２０が、直ぐにステップＳ１に進行することなく、エラー表示と共に圧力モードを高圧モードに変更することを案内し、現在の圧力モードが高圧モードに変更されるか否かを、即ち現在の圧力モードが高圧メニューに対応する圧力モードであるか否かを基準時間の間に判断することもできる。このとき、基準時間以内に高圧モードへの変更であると判断される場合、即ち判断された現在の圧力モードが選択されたメニューに対応する場合にはステップＳ１３に進行し、そうでない場合にはステップＳ１に進行しながら、制御部１２０は、以前に選択されたメニューに対する選択を削除して初期化し、メニューを再選択するようにする。
【００５７】
ステップＳ１７において、制御部１２０は、圧力変換部による現在の圧力モードが高圧モードであるか否かを判断する。このとき、現在の圧力モードが、高圧モードの場合にはステップＳ１９に進行し、そうでない場合にはステップＳ２１に進行する。
【００５８】
ステップＳ１９において、制御部１２０は、ユーザの選択したメニューが非圧メニューであり、現在の圧力モードが高圧モードであるので、表示部１１４により選択された非圧メニューが現在の高圧モードで調理できない(即ち、選択されたメニューと現在の圧力モードとが対応しない)ことを示すエラー表示を視覚的又は聴覚的に行い、以前に選択されたメニューに対する選択を削除して初期化し、ステップＳ１に進行してメニューを再選択するようにする。このようなエラー表示及びメニュー選択の再遂行により、制御部１２０はユーザーの所望するメニューが対応する圧力モードで正確に遂行されるようにする。但し、ステップＳ１９において、制御部１２０が、ステップＳ１に進行することなく、エラー表示と共に圧力モードを非圧モードに変更することを表示部１１４により視覚的又は聴覚的に案内して、現在の圧力モードが非圧モードに変更されるか否かを、即ち現在の圧力モードが非圧メニューに対応する圧力モードであるか否かを基準時間の間に判断することもできる。このとき、基準時間以内に非圧モードへの変更であると判断される場合、即ち判断された現在の圧力モードが選択されたメニューに対応する場合にはステップＳ２１に進行し、そうでない場合にはステップＳ１に進行しながら、制御部１２０は、以前に選択されたメニューに対する選択を削除して初期化し、メニューを再選択するようにする。
【００５９】
ステップＳ２１において、制御部１２０は、選択されたメニューが非圧メニューであり、現在の圧力モードが非圧モードであるので、既に格納されている選択されたメニューに対応する非圧調理アルゴリズムにより、温度感知部１１６からの感知温度に基づいて加熱部１９ｃを制御して非圧調理を遂行する。このような非圧調理の遂行により、制御部１２０はユーザに非圧調理の特有の軟らかい食感などを持つ調理物を提供する。
【００６０】
前述したステップＳ９、Ｓ１１及びＳ１７において、制御部１２０は、まず、ユーザの選択したメニューが高圧メニューであるか否かを判断した後、現在の圧力モードが高圧モードであるか否かを判断する順序で遂行するが、他の実施例でも可能である。例えば、まず、現在の圧力モードが高圧モード(又は非圧モード)であるか否かを判断した後、選択したメニューが高圧メニュー(又は非圧メニュー)であるか否かを判断する順序も可能である。追加的に、まず、ユーザの選択したメニューが非圧メニューであるか否かを判断した後、現在の圧力モードが非圧モードであるか否かを判断する順序も可能である。
【００６１】
また、前述した第１磁気センサー１８ａの代りに、第２磁気センサー１８ｂのみを備える場合、図５のフローチャートの各ステップが同様に遂行され得る。但し、ステップＳ９において選択されたメニューが非圧メニューであるか否かを判断し、ステップＳ１１及びＳ１７において現在の圧力モードが非圧モードであるか否かを判断し、ステップＳ１３において非圧調理を遂行し、ステップＳ２１において高圧調理を遂行すればよい。
【００６２】
図６は、図５の調理過程において圧力モードの変更がある場合の制御を示すフローチャートである。ユーザにより圧力変換部の圧力モードが変更され得るので、制御部１２０は、図５のステップＳ１３及びＳ２１の遂行中に図６の制御を行う。
【００６３】
ステップＳ８１において、制御部１２０は、ステップＳ１３(又はステップＳ２１)の遂行中に現在の圧力モードに変更があるか否かを判断する。このために、制御部１２０は、現在の圧力モードでの第１感知信号の受信及び未受信の状態の変更があるか否かを判断する。このとき、現在の圧力モードに変更がある場合にはステップＳ８３に進行し、そうでない場合にはハンドル１１の位置変更や回転がない場合であるから、ステップＳ１３(又はステップＳ２１)に進行する。
【００６４】
ステップＳ８３において、現在の圧力モードの変更により、変更された現在の圧力モードと選択されたメニューとが対応しないので、制御部１２０は、現在遂行する調理を取り消し、加熱部１９ｃの加熱動作等も中断させる。制御部１２０は、ステップＳ８３を遂行し、ステップＳ８５に進行する。
【００６５】
ステップＳ８５において、制御部１２０は、調理過程において現在の圧力モードの変更があることを認知させ、現在遂行する調理の取り消しを表示部１１４に視覚的又は聴覚的に表示する。制御部１２０は、ステップＳ８５の以後に、ユーザが現在の圧力モード及びメニューが対応するように、圧力モードの変更又はメニューの変更が遂行できるようにステップＳ１に進行する。
【００６６】
ステップＳ８３及びＳ８５において、非圧モードアルゴリズム又は高圧モードアルゴリズムによる調理の進行中に、圧力モードが変更される場合、特に高圧モードから非圧モードに圧力モードが変更される場合、内釜内の蒸気が外部に突然に排出してユーザがやけどを負う恐れがあるため、制御部１２０は調理を取り消すことが好ましい。また、圧力モードの変更により、選択されたメニューが変更された現在の圧力モードに対応しないことで、変更時点まで変更以前の圧力モードに対応するアルゴリズムにより調理された調理物を他の圧力モードのアルゴリズムにより調理しなければならないので、調理物の調理品質を悪化させるという問題もあり、制御部１２０は調理を取り消すことが好ましい。
【００６７】
図７は、本発明に係る電気炊飯器の蓋部の平面図である。前述した図５及び図６では第１磁気センサー１８ａのみを備えた場合であり、図７〜図１３では第１及び第２磁気センサー１８ａ、１８ｂを備えた場合である。図７に示すように、ハンドル１１が位置(Ｌ１)に位置すれば、高圧モードに第２排出経路が選択された場合であり、ハンドル１１が位置(Ｌ２)に位置すれば、非圧モードに第１排出経路が選択された場合である。但し、ハンドル１１の回転角度によってハンドル１１が位置(Ｌ１)と位置(Ｌ２)との間(中間位置)に位置すれば、圧力転換流路５３ａが部分的に開放又は閉鎖の状態に維持され得る。このような中間位置では、制御部１２０が、第１磁気センサー１８ａ及び第２磁気センサー１８ｂの何れも感知信号が受信できなくなるので、このような感知信号の未受信によりハンドル１１が中間位置に位置することを判断することができる。
【００６８】
制御部１２０が、第１及び第２磁気センサー１８ａ、１８ｂからの第１及び第２感知信号の受信及び未受信により判断できる少なくとも４つのモードは表１と同様である。
【００６９】
【表１】
2019048052.tif 000003
【００７０】
モード４は、制御部１２０が第１及び第２感知信号を全部受信した場合であって、第１及び第２磁気センサー１８ａ、１８ｂの何れか一つが短絡状態であり、残りのセンサーが正常状態の場合や、第１及び第２磁気センサー１８ａ、１８ｂが全部短絡状態の場合である。制御部１２０はモード４を故障モードとして判断する。
【００７１】
モード３は、制御部１２０が第１及び第２感知信号を全部未受信した場合であって、ハンドル１１が中間位置にある場合や、ハンドル１１の位置と無関係に第１及び第２磁気センサー１８ａ、１８ｂが全部断線状態の場合である。制御部１２０はモード３をエラーモードとして判断する。
【００７２】
モード２は、制御部１２０が第１感知信号を未受信して第２感知信号を受信した場合であって、第１及び第２磁気センサー１８ａ、１８ｂが全部正常状態の場合や、第１磁気センサー１８ａが断線状態で第２磁気センサー１８ｂが正常状態の場合や、第１磁気センサー１８ａが正常状態で第２磁気センサー１８ｂが短絡状態の場合である。制御部１２０はモード２を非圧モードとして判断する。
【００７３】
モード１は、制御部１２０が第１感知信号を受信して第２感知信号を未受信した場合であって、第１及び第２磁気センサー１８ａ、１８ｂが全部正常状態の場合や、第１磁気センサー１８ａが正常状態で第２磁気センサー１８ｂが断線状態の場合や、第１磁気センサー１８ａが短絡状態で第２磁気センサー１８ｂが正常状態の場合である。制御部１２０はモード１を高圧モードとして判断する。
【００７４】
本実施例における圧力モードは、制御部１２０が第１及び第２感知信号により判断される高圧モード及び非圧モードだけでなく、エラーモード及び故障モードを含むものとして分かるべきである。即ち、制御部１２０は、第１及び第２感知信号の受信及び未受信を用いて、高圧モード及び非圧モードだけでなく、第１及び第２磁気センサー１８ａ、１８ｂの少なくとも一つ以上の電気的状態(短絡状態及び/又は断線状態)を判断することもできる。
【００７５】
図８は、図１の電気炊飯器の他の制御方法を示すフローチャートである。本発明の制御方法は、電源部１１０により電源が各構成要素に供給されながら開始される。
【００７６】
ステップＳ１０１において、制御部１２０は、現在の圧力モードに変更があるか否かを判断する。このために、制御部１２０は、現在の圧力モードでの第１及び第２感知信号の受信及び未受信の状態の変更があるか否かを確認する。このとき、現在の圧力モードに変更がある場合にはステップＳ１１５に進行し、そうでない場合にはハンドル１１の位置変更や回転がない場合であるから、ステップＳ１０３に進行する。
【００７７】
ステップＳ１０３において、制御部１２０は、第１及び第２感知信号の受信及び未受信の状態を確認することで、現在の圧力モードを判断する。現在の圧力モードは表１の４つのモードの何れか一つに該当する。制御部１２０は、ステップＳ１０３を遂行し、ステップＳ１０５に進行する。
【００７８】
ステップＳ１０５において、制御部１２０は、現在の圧力モードがエラーモードであるか否かを判断する。このとき、現在の圧力モードが、エラーモードの場合にはステップＳ１０７に進行し、そうでない場合にはステップＳ１０９に進行する。
【００７９】
ステップＳ１０７において、制御部１２０は、ハンドル１１が高圧又は非圧の位置でない位置(中間位置)に置かれたことを、或いは、ハンドル１１を操作して高圧又は非圧の位置に変更することを含むエラー表示を視覚的又は聴覚的に遂行する。このとき、制御部１２０は、入力部１１２による入力を無視又は廃棄し、ユーザがハンドル１１を操作するように誘導でき、このような入力の無視や廃棄過程は現在の圧力モードが高圧モードや非圧モードとして判断される場合に終了される。ステップＳ１０７により、制御部１２０は、電気炊飯器が高圧モード又は非圧モードで動作できるようにユーザを誘導することで、制御部１２０が機構的に高圧モード又は非圧モードが安定的に判断された状態で高圧調理又は非圧調理を遂行するようにする。制御部１２０はステップＳ１０７を遂行し、ステップＳ１０１に進行する。
【００８０】
ステップＳ１０９において、制御部１２０は、現在の圧力モードが故障モードであるか否かを判断する。このとき、現在の圧力モードが、故障モードの場合にはステップＳ１１１に進行し、そうでない場合には現在の圧力モードが高圧モード又は非圧モードであるから、ステップＳ１１３に進行する。
【００８１】
ステップＳ１１１において、制御部１２０は、電気炊飯器(第１及び第２磁気センサー１８ａ、１８ｂ)の故障を視覚的又は聴覚的に表示する。また、制御部１２０は、入力部１１２からの入力を無視又は廃棄し、どのような入力にもそれに従う制御を遂行しないようにすることで、ユーザの安全を図る。
【００８２】
ステップＳ１１３において、制御部１２０は、現在の圧力モードである高圧モード又は非圧モードの維持を視覚的又は聴覚的に表示して、現在の圧力モードをユーザに認知させることで、ユーザの注意を喚起させる。制御部１２０は、現在の圧力モードが高圧モードの場合と非圧モードの場合とを異にして表示する。例えば、現在の圧力モードが高圧モードで維持された場合、制御部１２０は、最近に遂行した高圧メニューと、[高圧]表示とを表示部１１４に例として赤色で点灯させ、下部表示部にも赤色の[高圧]表示の点灯を遂行する。また、現在の圧力モードが非圧モードで維持された場合、制御部１２０は、最近に遂行した非圧メニューと、[非圧]表示とを表示部１１４に例として青色で点灯させ、下部表示部にも青色の[非圧]表示の点灯を遂行する。制御部１２０は、ステップＳ１１３を遂行し、ステップＳ１２７に進行する。
【００８３】
ステップＳ１１５において、制御部１２０は、第１及び第２感知信号の受信及び未受信の状態の確認により変更された圧力モードを判断し、判断された圧力モード(即ち、変更された圧力モード)が現在の圧力モードとして認識される。制御部１２０は、ステップＳ１１５を遂行し、ステップＳ１１７に進行する。
【００８４】
ステップＳ１１７〜ステップＳ１２３の各々は、ステップＳ１０５〜ステップＳ１１１と同様に遂行される。
【００８５】
ステップＳ１２５において、制御部１２０は、現在の圧力モードである高圧モード又は非圧モードの変更を視覚的又は聴覚的に表示して、現在の圧力モードをユーザに認知させることで、ユーザの注意を喚起させる。制御部１２０は、非圧モードから高圧モードに変更された場合と、高圧モードから非圧モードに変更された場合とを異にして表示する。例えば、非圧モードから高圧モードに変更された場合、制御部１２０は、一定時間の間に高圧メニューを点滅させ、非圧メニューを点灯させながら、高圧モードへの変更を視覚的又は聴覚的に表示部１１４に表示した後、最近に遂行した高圧メニューのみを点滅させ、点滅される高圧メニュー以外の他の高圧メニューを点灯させ、[高圧]表示を表示部１１４に例として赤色で点灯させ、下部表示部にも赤色の[高圧]表示の点灯を遂行する。また、高圧モードから非圧モードに変更された場合、制御部１２０は、一定時間の間に非圧メニューを点滅させ、高圧メニューを点灯させながら、非圧モードへの変更を視覚的又は聴覚的に表示部１１４に表示した後、最近に遂行した非圧メニューのみを点滅させ、点滅される非圧メニュー以外の他の非圧メニューを点灯させ、[非圧]表示を表示部１１４に例として青色で点灯させ、下部表示部にも青色の[非圧]表示の点灯を遂行する。制御部１２０は、ステップＳ１２５を遂行し、ステップＳ１２７に進行する。
【００８６】
ステップＳ１２７において、制御部１２０は、入力部１１２によりユーザが選択したメニューに対するメニュー選択確認入力を獲得したか否かを判断して、ユーザがメニューの選択を完了したか否かを判断する。このとき、制御部１２０は、現在の圧力モードと無関係に全てのメニュー(即ち、高圧メニュー及び非圧メニュー)の何れか一つをユーザが選択できるようにする。このとき、メニュー選択確認入力が獲得されなくてメニューの選択が完了されない場合にはステップＳ１２９に進行し、そうでない場合にはステップＳ１３１に進行する。
【００８７】
ステップＳ１２９において、制御部１２０は、現在の圧力モードの表示を維持し、入力部１１２からのメニュー選択入力によって高圧メニュー及び非圧メニューを順次点滅させる。例えば、現在の圧力モードが高圧モードの場合、制御部１２０は、最近に遂行された高圧メニューを点滅させ、その高圧メニュー以外の他の高圧メニュー及び非圧メニューを点灯させ、入力部１１２からメニュー選択入力を獲得する毎に最近に遂行された高圧メニューの点滅状態を他の高圧メニュー及び非圧メニューに順次移動させる。
【００８８】
さらに、ステップＳ１２７において、制御部１２０がメニュー選択確認入力を獲得した場合には、メニュー選択確認入力の獲得時に点滅されるメニューをユーザが選択したメニューとして判断して格納する。
【００８９】
ステップＳ１３１において、制御部１２０は、入力部１１２から調理開始入力を獲得したか否かを判断する。このとき、調理開始入力を獲得した場合にはステップＳ１３３に進行し、そうでない場合にはステップＳ１２７に進行する。或いは、制御部１２０は、ステップＳ１３１からステップＳ１２９に進行したり、調理開始入力が獲得されるまでステップＳ１３１を繰り返し遂行する。ステップＳ１３１からステップＳ１２７又はＳ１２９に進行された場合、制御部１２０は入力部１１２からメニュー選択入力及びメニュー選択確認入力をさらに獲得すれば、以前に選択されたメニューの代りに他のメニューをユーザが選択したメニューに変更して格納できる。例えば、以前に選択されたメニューがサムゲタンであったが、高圧煮にメニューが変更される場合、制御部１２０はサムゲタンの代りに高圧煮をユーザが選択したメニューとして格納する。
【００９０】
ステップＳ１３３において、制御部１２０は、ユーザにより選択されたメニューと現在の圧力モードとが対応するか否かを判断する。即ち、制御部１２０は、選択されたメニューが高圧メニューであり、現在の圧力モードが高圧モードである場合、及び、選択されたメニューが非圧メニューであり、現在の圧力モードが非圧モードである場合、選択されたメニューと現在の圧力モードとが対応するものとして判断する。
【００９１】
ステップＳ１３５において、制御部１２０は、温度感知部１１６の感知温度に基づいて加熱部１９ｃ及び/又は蒸気排出部９０ｂを制御して、現在の圧力モードとして選択されたメニューの調理を遂行する。例えば、高圧モードの場合、制御部１２０は、選択されたメニューに対応する高圧調理アルゴリズムにより、温度感知部１１６からの感知温度に基づいて加熱部１９ｃ及び/又は蒸気排出部９０ｂを制御して高圧調理を遂行する。これにより、制御部１２０はユーザに高圧調理の特有のもちもちしっとりとした食感を持つ調理物が提供できる。また、非圧モードの場合、制御部１２０は、選択されたメニューに対応する非圧調理アルゴリズムにより、温度感知部１１６からの感知温度に基づいて加熱部１９ｃを制御して非圧調理を遂行する。これにより、制御部１２０はユーザに非圧調理の特有の軟らかい食感を持つ調理物が提供できる。制御部１２０は、ステップＳ１３５を遂行し、全体制御過程を終了する。
【００９２】
ステップＳ１３７において、制御部１２０は、選択されたメニューと現在の圧力モードとが対応しないような対応エラーを表示部１１４に視覚的又は聴覚的に表示する。即ち、選択されたメニューが高圧メニューであり、現在の圧力モードが非圧モードの場合、及び、選択されたメニューが非圧メニューであり、現在の圧力モードが高圧モードの場合、このような状態で制御部１２０が調理を遂行すれば、ユーザーが所望する調理品質が得られない。従って、制御部１２０は、このような対応エラーをユーザに認知させてステップＳ１０１に進行して、ユーザが圧力モードを変更したりメニューを変更するように誘導する。
【００９３】
前記のステップＳ１０１〜Ｓ１２５はメニュー表示過程であり、前記のステップＳ１２７〜Ｓ１２９はメニュー選択過程であり、前記のステップＳ１３１〜Ｓ１３７は調理過程である。
【００９４】
ステップＳ１２７及びＳ１２９において、制御部１２０は、現在の圧力モードと無関係に全てのメニューを表示し、その何れか一つをユーザが選択できるようにする実施例(以下において、‘第１メニュー表示及び選択方法’)を説明した。この第１メニュー表示及び選択方法が適用される場合、制御部１２０は、ステップＳ１３３及びＳ１３７を必ずしも遂行しなければならない。
【００９５】
また、第２メニュー表示及び選択方法として、ステップＳ１２７において、制御部１２０は、複数のメニューのうちで現在の圧力モードに対応するメニューのみが選択できるようにする。即ち、制御部１２０が高圧モードとして現在の圧力モードを判断すれば、表示部１１４により高圧モードに対応するメニューのみを選択するようにする。第２メニュー表示及び選択方法の具現のために、制御部１２０は、ステップＳ１２７において、現在の圧力モードに対応するメニューのうちで最近に遂行されたメニューを点滅させ、点滅されるメニュー以外に現在の圧力モードに対応するメニューのみを点灯させ、他の圧力モードのメニューを消灯させる第１表示方法、或いは、現在の圧力モードに対応するメニューのうちで最近に遂行されたメニューを点滅させ、点滅されるメニュー以外の全てのメニュー(高圧及び非圧メニュー)を表示部１１４に点灯させる第２表示方法が可能である。但し、第２メニュー表示及び選択方法により、制御部１２０は、前述した第１又は第２表示方法による表示を遂行し、現在の圧力モードに対応するメニューのみが選択できるようにする。ステップＳ１２９において現在の圧力モードの表示を維持し、入力部１１２からのメニュー選択入力によって現在の圧力モードに対応するメニューのみを順次点滅させる。このとき、制御部１２０は、点滅されるメニュー以外の第１又は第２表示方法によるメニュー表示を同様に維持する。例えば、現在の圧力モードが高圧モードであり、第１表示方法が適用された場合、制御部１２０は最近に遂行された高圧メニューを点滅させ、点滅される高圧メニュー以外の他の高圧メニューのみを点灯させて非圧メニューを消灯させ、入力部１１２からメニュー選択入力を獲得する毎に最近に遂行された高圧メニューの点滅状態を他の高圧メニューのみに順次移動させる。他の例として、現在の圧力モードが非圧モードであり、第２表示方法が適用された場合、制御部１２０は最近に遂行された非圧メニューを点滅させ、点滅される非圧メニュー以外の他の全てのメニューを点灯させ、入力部１１２からのメニュー選択入力を獲得する毎に最近に遂行された非圧メニューの点滅状態を他の非圧メニューのみに順次移動させる。また、制御部１２０は、第２メニュー表示及び選択方法を遂行する場合、ステップＳ１３３及びＳ１３７の遂行が不要になり、ステップＳ１３１において調理開始入力が獲得される場合、ステップＳ１３５に進行して、現在の圧力モードに対応する選択されたメニューの調理を遂行する。
【００９６】
図９Ａ及び図９Ｂは、表示部１１４によりユーザに表示される実施例である。図９Ａ及び図９Ｂは、第２メニュー表示及び選択方法のうちで第１表示方法が適用される場合である。
【００９７】
図９Ａの場合、制御部１２０が高圧モードでの高圧メニュー(例えば、スーパー穀物、玄米/発芽、サムゲタン、高圧煮、雑穀、高火力、おこげ)及び[高圧]表示を点灯し、最近に遂行した高圧メニューである白米を点滅で表示部１１４に表示したものである。また、制御部１２０が非圧メニューを消灯させる。
【００９８】
図９Ｂの場合、制御部１２０が非圧モードでの非圧メニュー(例えば、ラーメン、離乳食、非圧煮、健康粥)及び[非圧]表示を点灯し、最近に遂行した非圧メニューである非圧白米を点滅で表示部１１４に表示したものである。また、制御部１２０が高圧メニューを消灯させる。
【００９９】
図１０は、図８のメニュー選択過程において圧力モードの変更がある場合の制御を示すフローチャートである。制御部１２０は、図８のメニュー選択過程を遂行しながら、図１０の制御を共に遂行する。
【０１００】
ステップＳ１４１において、制御部１２０は、現在の圧力モードに変更があるか否かを判断する。このために、制御部１２０は、現在の圧力モードでの第１及び第２感知信号の受信及び未受信の状態の変更があるか否かを確認する。このとき、現在の圧力モードに変更がある場合にはステップＳ１４３に進行し、そうでない場合にはハンドル１１の位置変更や回転がないものであるから、ステップＳ１２７(又はステップＳ１２９)に進行する。
【０１０１】
ステップＳ１４３において、制御部１２０は、変更された圧力モードを判断し、判断された圧力モード(即ち、変更された圧力モード)が現在の圧力モードとして認識される。制御部１２０は、ステップＳ１４３を遂行し、ステップＳ１４５に進行する。
【０１０２】
ステップＳ１４５において、制御部１２０はステップＳ１０５と同様に遂行する、このとき、現在の圧力モードが、エラーモードの場合にはステップＳ１４７に進行し、そうでない場合にはステップＳ１５１に進行する。
【０１０３】
ステップＳ１４７において、制御部１２０は、ハンドル１１の位置が高圧又は非圧でない位置(中間位置)に置かれたことを、或いは、ハンドル１１を操作して高圧又は非圧の位置に変更することを含むエラー表示を遂行し、ステップＳ１４９に進行する。このとき、制御部１２０は、ステップＳ１２７及びＳ１２９において、現在の圧力モードが高圧モード又は非圧モードに再変更されるまで入力部１１２からの入力を無視又は廃棄できる。
【０１０４】
ステップＳ１４９において、制御部１２０は、ステップＳ１４１と同様に、現在の圧力モードに変更があるか否かを判断する。ステップＳ１４９は、ステップＳ１４７のエラー表示を遂行しながら、ユーザが圧力モードを高圧モード又は非圧モードに変更するように誘導する過程である。このとき、現在の圧力モードの変更がある場合にはステップＳ１４３に進行し、そうでない場合にはステップＳ１４９を遂行する。
【０１０５】
また、制御部１２０は、ステップＳ１４７及び/又はステップＳ１４９の遂行中に、入力部１１２からメニュー選択入力や調理開始入力を獲得した場合、現在の圧力モードを選択されたメニューに対応する圧力モードに変更するように案内する音声やメッセージを表示部１１４により視覚的及び/又は聴覚的に表示できる。
【０１０６】
ステップＳ１５１において、制御部１２０は、ステップＳ１０９と同様に、現在の圧力モードが故障モードであるか否かを判断する。このとき、現在の圧力モードが、故障モードの場合にはステップＳ１５３に進行し、そうでない場合にはステップＳ１５５に進行する。
【０１０７】
ステップＳ１５３において、制御部１２０は、ステップＳ１１１と同様に、故障の表示を遂行し、どのような追加動作も遂行しないように制御過程を終了させることで、ユーザの安全を図る。
【０１０８】
ステップＳ１５５において、制御部１２０は、ステップＳ１２５と同様に、現在の圧力モードである高圧モード又は非圧モードの変更を視覚的又は聴覚的に表示して、現在の圧力モードをユーザに認知させることで、ユーザの注意を喚起させる。制御部１２０は、ステップＳ１５５の以後にステップＳ１２７(又はステップＳ１２９)に進行して、変更された現在の圧力モードに対応するメニュー選択を進行させる。
【０１０９】
図１０のステップＳ１４１は、前述した第１及び第２メニュー表示及び選択方法の各々において、調理開始入力が獲得される前まで遂行され、圧力モードの変更が発生した場合、ステップＳ１４３〜Ｓ１５５が順次遂行される。
【０１１０】
図１１は、入力部１１２の例を示す図である。図１１の入力部１１２はタッチパネル方式により具現され、第１入力部１１２ａはメニュー選択入力であり、第２入力部１１２ｂはメニュー選択確認入力であり、高圧炊事入力部１１２ｃは高圧モードの調理開始入力(即ち、高圧調理開始入力)であり、非圧炊事入力部１１２ｄは非圧モードの調理開始入力(即ち、非圧調理開始入力)である。
【０１１１】
図１２Ａ及び１２Ｂは、図８の調理開始入力過程の他の実施例である。図１２Ａの実施例は、図１１の入力部１１２が適用された電気炊飯器での制御方法に該当し、第２メニュー表示及び選択方法が適用された図８のステップＳ１２７の以後に遂行される。
【０１１２】
ステップＳ１６１において、制御部１２０は、ステップＳ１２７に連続して、入力部１１２(又は高圧炊事入力部１１２ｃ)から高圧調理開始入力が獲得されたか否かを判断する。このとき、高圧調理開始入力が獲得された場合にはステップＳ１６３に進行し、そうでない場合にはステップＳ１６９に進行する。
【０１１３】
ステップＳ１６３において、制御部１２０は、現在の圧力モードが高圧モードであるか否かを判断する。このとき、現在の圧力モードが、高圧モードの場合にはステップＳ１６５に進行し、そうでない場合には現在の圧力モードが非圧モードであるから、ステップＳ１６７に進行する。或いは、第２メニュー表示及び選択方法において、ユーザは現在の圧力モードに対応するメニューだけでメニューの選択が可能なので、制御部１２０はステップＳ１６３の以前に現在の圧力モードに対応する選択されたメニューを既に格納しているため、選択されたメニューが高圧メニューであるか否かを判断して、ステップＳ１６３と同様な結果が確認できる。
【０１１４】
ステップＳ１６５において、制御部１２０は、温度感知部１１６での感知温度に基づいて加熱部１９ｃ及び蒸気排出部９０ｂを制御して、選択されたメニュー(高圧メニュー)に対して高圧調理を遂行する。
【０１１５】
ステップＳ１６７において、制御部１２０は、非圧モード開始入力の代りに、高圧モード開始入力が獲得されたことを示すエラー表示を表示部１１４に視覚的又は聴覚的に表示して、ユーザの注意を喚起させてステップＳ１０１に進行する。或いは、制御部１２０は、ステップＳ１６７からステップＳ１２７に進行して新規のメニューを選択するようにしたり、ステップＳ１６１に進行して現在の圧力モードに対応する調理開始入力を入力部１１２により入力されるように誘導する。
【０１１６】
ステップＳ１６９において、制御部１２０は、入力部１１２(又は非圧炊事入力部１１２ｄ)から非圧調理開始入力が獲得されたか否かを判断する。このとき、非圧調理開始入力が獲得された場合にはステップＳ１７１に進行し、そうでない場合にはステップＳ１２７に進行して、新規のメニューを選択するようにしたり、ステップＳ１６１に進行して、制御部１２０は入力部１１２から高圧調理開始入力又は非圧調理開始入力を待つ。
【０１１７】
ステップＳ１７１において、制御部１２０は、現在の圧力モードが非圧モードであるか否かを判断する。このとき、現在の圧力モードが、非圧モードの場合にはステップＳ１７３に進行し、そうでない場合には現在の圧力モードが高圧モードであるから、ステップＳ１７５に進行する。或いは、第２メニュー表示及び選択方法において、ユーザは現在の圧力モードに対応するメニューだけでメニューの選択が可能なので、制御部１２０はステップＳ１６９の以前に現在の圧力モードに対応する選択されたメニューを既に格納しているため、選択されたメニューが非圧メニューであるか否かを判断して、ステップＳ１７１と同様な結果が確認できる。
【０１１８】
ステップＳ１７３において、制御部１２０は、温度感知部１１６での感知温度に基づいて加熱部１９ｃを制御して、選択されたメニュー(非圧メニュー)に対して非圧調理を遂行する。
【０１１９】
ステップＳ１７５において、制御部１２０は、高圧モード開始入力の代りに、非圧モード開始入力が獲得されたことを示すエラー表示を表示部１１４に視覚的又は聴覚的に表示して、ユーザの注意を喚起させてステップＳ１０１に進行する。或いは、制御部１２０は、ステップＳ１７５からステップＳ１２７に進行して、新規のメニューを選択するようにしたり、ステップＳ１６１に進行して、現在の圧力モードに対応する調理開始入力を入力部１１２により入力されるように誘導する。
【０１２０】
図１２Ａの実施例により、制御部１２０は、ステップＳ１６５及びＳ１７３の調理過程の以前に現在の圧力モード及び調理開始入力(高圧調理開始入力又は非圧調理開始入力)が対応するようにすることで、調理される圧力モードをユーザに持続的に認知させる。
【０１２１】
図１２Ｂは、図１１の入力部１１２が適用された電気炊飯器での制御方法に該当し、第１メニュー表示及び選択方法が適用された図８のステップＳ１２７の以後に遂行される。
【０１２２】
図１２ＢのステップＳ１６１は、図１２ＡのステップＳ１６１と同様である。
【０１２３】
ステップＳ１６３−１において、制御部１２０は、現在の圧力モードが高圧モードであり、選択されたメニューが高圧メニューであるか否かを判断する。このとき、現在の圧力モードが高圧モードであり、選択されたメニューが高圧メニューの場合にはステップＳ１６５に進行し、そうでない場合にはステップＳ１６７−１に進行する。
【０１２４】
ステップＳ１６５は、高圧調理開始入力、高圧モード及び選択されたメニューが全部高圧に対応するので、図１２ＡのステップＳ１６５と同様である。
【０１２５】
ステップＳ１６７−１において、制御部１２０は、高圧調理開始入力、現在の圧力モード及び選択されたメニューの何れか一つ以上が高圧に対応しないので、高圧調理開始入力に対応しない圧力モード(非圧モード)及び/又は選択されたメニュー(非圧メニュー)であることを示すエラー表示を表示部１１４に視覚的又は聴覚的に表示して、ユーザの注意を喚起させてステップＳ１０１に進行する。或いは、制御部１２０は、ステップＳ１６７−１からステップＳ１２７に進行して、新規のメニューを選択するようにしたり、ステップＳ１６１に進行して現在の圧力モード及びメニューに対応する調理開始入力を入力部１１２により入力されるように誘導する。
【０１２６】
ステップＳ１６９は、図１２ＡのステップＳ１６９と同様である。
【０１２７】
ステップＳ１７１−１において、制御部１２０は、現在の圧力モードが非圧モードであり、選択されたメニューが非圧メニューであるか否かを判断する。このとき、現在の圧力モードが非圧モードであり、選択されたメニューが非圧メニューの場合にはステップＳ１７３に進行し、そうでない場合にはステップＳ１７５−１に進行する。
【０１２８】
ステップＳ１７３は、非圧調理開始入力、非圧モード及び選択されたメニューが全部非圧に対応するので、図１２ＡのステップＳ１７３と同様である。
【０１２９】
ステップＳ１７５−１において、制御部１２０は、非圧調理開始入力、現在の圧力モード及び選択されたメニューのいずれか一つ以上が非圧に対応しないので、非圧調理開始入力に対応しない圧力モード(高圧モード)及び/又は選択されたメニュー(高圧メニュー)であることを示すエラー表示を表示部１１４に視覚的又は聴覚的に表示して、ユーザの注意を喚起させてステップＳ１０１に進行する。或いは、制御部１２０は、ステップＳ１７５−１からステップＳ１２７に進行して、新規のメニューを選択するようにしたり、ステップＳ１６１に進行して、現在の圧力モード及びメニューに対応する調理開始入力を入力部１１２により入力されるように誘導する。
【０１３０】
図１３は、図８の調理過程において圧力モードの変更がある場合の制御を示すフローチャートである。ユーザにより圧力変換部の圧力モードが変更され得るので、制御部１２０は、図８のステップＳ１３５、図１２Ａ及び図１２ＢのステップＳ１６５及びＳ１７３の遂行中に、図１３の制御を遂行する。
【０１３１】
ステップＳ１８１において、制御部１２０は、ステップＳ１３５(又はステップＳ１６５やＳ１７３)の遂行中に、現在の圧力モードに変更があるか否かを判断する。このために、制御部１２０は、現在の圧力モードでの第１及び第２感知信号の受信及び未受信の状態の変更があるか否かを確認する。このとき、現在の圧力モードに変更がある場合にはステップＳ１８３に進行し、そうでない場合にはハンドル１１の位置変更や回転がない場合であるから、ステップＳ１３５(又はステップＳ１６５やＳ１７３)に進行する。
【０１３２】
ステップＳ１８３において、現在の圧力モードが変更され、変更された現在の圧力モードと選択されたメニューとが対応しないので、制御部１２０は、現在遂行する調理を取り消し、加熱部１９ｃの加熱動作等も中断させる。制御部１２０は、ステップＳ１８３を遂行し、ステップＳ１８５に進行する。
【０１３３】
ステップＳ１８５において、制御部１２０は、調理過程において現在の圧力モードの変更があることを認知させ、現在遂行される調理の取り消しを表示部１１４に視覚的又は聴覚的に表示する。制御部１２０は、ステップＳ１８５の以後にユーザが現在の圧力モード及びメニューが対応するように、圧力モードの変更又はメニューの変更のためにステップＳ１０１に進行する。
【０１３４】
ステップＳ１８３及びＳ１８５において、非圧モードアルゴリズム又は高圧モードアルゴリズムによる調理の進行中に、圧力モードが変更される場合、特に高圧モードから非圧モードに圧力モードが変更される場合、内釜内の蒸気が外部に突然に排出してユーザがやけどを負う恐れがあるため、制御部１２０は調理を取り消すことが好ましい。また、圧力モードの変更により、選択されたメニューが変更された現在の圧力モードに対応しなくて、変更時点まで変更以前の圧力モードに対応するアルゴリズムにより調理された調理物を他の圧力モードのアルゴリズムにより調理しなければならないことで、調理物の調理品質を悪化させるという問題もあり、制御部１２０は調理を取り消すことが好ましい。
【０１３５】
前述したように、本発明は、特定の好適な実施例に限定されず、請求範囲で請求する本発明の要旨から逸脱しない範囲内において、当該発明が属する技術分野における通常の知識を有した者であれば、誰でも多様な変形の実施が可能である。さらに、そのような変更は請求範囲の記載の範囲内にあるべきである。
【図１】
2019048052.tif 000004
【図２】
2019048052.tif 000005
【図３Ａ】
2019048052.tif 000006
【図３Ｂ】
2019048052.tif 000007
【図４Ａ】
2019048052.tif 000008
【図４Ｂ】
2019048052.tif 000009
【図５】
2019048052.tif 000010
【図６】
2019048052.tif 000011
【図７】
2019048052.tif 000012
【図８】
2019048052.tif 000013
【図９Ａ】
2019048052.tif 000014
【図９Ｂ】
2019048052.tif 000015
【図１０】
2019048052.tif 000016
【図１１】
2019048052.tif 000017
【図１２Ａ】
2019048052.tif 000018
【図１２Ｂ】
2019048052.tif 000019
【図１３】
2019048052.tif 000020